【手続補正書】
【提出日】平成26年1月28日(2014.1.28)
【手続補正１】
【補正対象書類名】特許請求の範囲
【補正対象項目名】全文
【補正方法】変更
【補正の内容】
【特許請求の範囲】
【請求項１】
クラウン部分およびソール部分を含むクラブヘッドボディであって、
該ソール部分が、そこを通る穿孔と、該穿孔を通ってクラブヘッドボディ内に延びる穿孔インサートとを含み、
該クラブヘッドボディが、該穿孔インサートに係合するポストをさらに含み、
該ポストが、第一の端部および該第一の端部とは反対側の第二の端部を有し、
該ポストが該クラブヘッドボディに挿入される場合に、該第一の端部が該穿孔インサートを通って挿入され、かつ該ポストの該第二の端部が該穿孔インサートに係合しかつ該ソール部分と実質的に同一平面になるかまたはその中に差し込まれる、
クラブヘッドボディ；
該クラブヘッドボディに係合するかまたはその一部として一体的に形成される打球面；および
該クラブヘッドに係合するかまたはその少なくとも一部分と一体的に形成されるホーゼル部材
を含む、ゴルフクラブヘッドであって、
該ポストが、該ポストに沿って設置されるウェイトを含み、かつ
該ポストが外部ねじ山を含み、該ウェイトが内部ねじ山を含み、該ポストの該第一の端部と該第二の端部との間の該ポストの縦方向長さに沿った該ウェイトの移動を可能にするように、該ウェイトが該ポストに螺合可能に係合する
前記ゴルフクラブヘッド。
【請求項２】
ポストが外部ねじ山を含む、請求項1記載のゴルフクラブヘッド。
【請求項３】
穿孔インサートが内部ねじ山を含み、ポストがクラブヘッドボディに挿入される場合にポストの外部ねじ山が穿孔インサートの内部ねじ山に係合する、請求項2記載のゴルフクラブヘッド。
【請求項４】
ポストの外部ねじ山が、第一の端部に設置されており、ポストがクラブヘッドボディに挿入される場合にクラウンに設置されたクラウン支持体に設置された内部ねじ山に係合する、請求項2記載のゴルフクラブヘッド。
【請求項５】
クラブヘッドボディが第二のポストをさらに含み、
ソール部分が、そこを通る第二の穿孔と、該第二の穿孔を通って該クラブヘッドボディ内に延びる第二の穿孔インサートとを含み、
該第二のポストが該第二の穿孔インサートに係合し、
該第二のポストが第一の端部および該第一の端部とは反対側の第二の端部を有し、
該第二のポストが該クラブヘッドボディに挿入される場合に、該第一の端部が該第二の穿孔インサートを通って挿入され、かつ該第二のポストの該第二の端部が該第二の穿孔インサートに係合しかつ該ソール部分と実質的に同一平面になるかまたはその中に差し込まれる、請求項1記載のゴルフクラブヘッド。
【請求項６】
クラブヘッドボディが第三のポストをさらに含み、
ソール部分が、そこを通る第三の穿孔と、該第三の穿孔を通って該クラブヘッドボディ内に延びる第三の穿孔インサートとを含み、
該第三のポストが該第三の穿孔インサートに係合し、
該第三のポストが第一の端部および該第一の端部とは反対側の第二の端部を有し、
該第三のポストが該クラブヘッドボディに挿入される場合に、該第一の端部が該第三の穿孔インサートを通って挿入され、かつ該第三のポストの該第二の端部が該第三の穿孔インサートに係合しかつ該ソール部分と実質的に同一平面になるかまたはその中に差し込まれる、請求項5記載のゴルフクラブヘッド。
【請求項７】
ポストがクラブヘッドボディの略中心に設置される、請求項1記載のゴルフクラブヘッド。
【請求項８】
ポストが、打球面側とは反対側のクラブヘッドの背面の近くに設置される、請求項1記載のゴルフクラブヘッド。
【請求項９】
ゴルフボールが打球面に接触するときにクラブヘッドボディから発せられる音を改変するように、該クラブヘッドボディの内側に延びるポストの長さが選択的に変動する、請求項1記載のゴルフクラブヘッド。
【請求項１０】
第二のポストをさらに含む前記ゴルフクラブヘッドであって、
該第二のポストの断面形状が前記ポストの断面形状と異なり、
ゴルフボールが打球面に接触するときにクラブヘッドボディから発せられる音が、該ポストを該第二のポストで交換することにより改変される、請求項1記載のゴルフクラブヘッド。
【請求項１１】
ポストが円形の断面を有する、請求項10記載のゴルフクラブヘッド。
【請求項１２】
ポストが長方形の断面を有する、請求項10記載のゴルフクラブヘッド。
【請求項１３】
ポストが三角形の断面を有する、請求項10記載のゴルフクラブヘッド。
【請求項１４】
ポストの第一の端部がクラブヘッドボディのクラウンに延びる、請求項1記載のゴルフクラブヘッド。
【請求項１５】
ポストが、チタン金属、チタン合金、アルミニウム、アルミニウム合金またはポリマー材料の群より選択される材料で作製される、請求項1記載のゴルフクラブヘッド。
【請求項１６】
第二のポストをさらに含む前記ゴルフクラブヘッドであって、
該第二のポストの材料が前記ポストの材料と異なり、
ゴルフボールが打球面に接触するときにクラブヘッドボディから発せられる音が、該ポストを該第二のポストで交換することにより改変される、請求項15記載のゴルフクラブヘッド。
【請求項１７】
ポストが、クラウンに延びかつそれに対して押し縮められる第一の端部のゴム先端を含む、請求項1記載のゴルフクラブヘッド。
【請求項１８】
ウェイトがタングステンウェイトである、請求項1記載のゴルフクラブヘッド。
【請求項１９】
ゴルフボールが打球面に接触するときにクラブヘッドボディから発せられる音を改変するように、ポストに沿ったウェイトの場所が選択的に変動する、請求項1記載のゴルフクラブヘッド。
【請求項２０】
請求項１〜１９のいずれか一項記載のクラブヘッド；
該クラブヘッドに係合するかまたはその一部として一体的に形成される打球面；
該クラブヘッドに係合するかまたはその少なくとも一部分と一体的に形成されるホーゼル部材；および
該ホーゼル部材において該クラブヘッドに係合するシャフト
を含む、ゴルフクラブ。
【請求項２１】
（a）クラウン部分およびソール部分を含むクラブヘッドを提供する工程であって、該ソール部分がそこにおいて規定されクラブヘッドの内側に開口する穿孔を含む、工程；
（b）穿孔インサートを該クラブヘッドにおいて規定された該穿孔に係合させる工程；および
（c）ポストが該穿孔インサートから該クラブヘッドの該クラウン部分の内面に延びるように、該ポストを該穿孔インサートに係合させる工程であって、該ポストが、該ポストに沿って設置されるウェイトを含み、かつ該ポストが外部ねじ山を含み、該ウェイトが内部ねじ山を含み、該ポストの該第一の端部と該第二の端部との間の該ポストの縦方向長さに沿った該ウェイトの移動を可能にするように、該ウェイトが該ポストに螺合可能に係合する、前記工程
を含む、ゴルフクラブを作製する方法であって、
ゴルフボールを該クラブヘッドで打つときに該クラブヘッドにより生成される音の改変を可能にするように、該ウェイトが該ポストに対して移動可能である、前記ゴルフクラブを作製する方法。
【請求項２２】
ポストが外部ねじ山を含む、請求項21記載の方法。
【請求項２３】
穿孔インサートが内部ねじ山を含み、ポストがクラブヘッドに挿入される場合にポストの外部ねじ山が穿孔インサートの内部ねじ山に係合する、請求項21記載の方法。
【請求項２４】
ゴルフボールをクラブヘッドで打つときに該クラブヘッドにより生成される音を改変するように、該クラブヘッドの内側に延びるポストの長さが選択的に変動する、請求項21記載の方法。
【請求項２５】
（d）ポストを穿孔インサートから取り外す工程；および
（e）第二のポストが該穿孔インサートから該クラブヘッドのクラウン部分の内面に延びるように、該第二のポストを該穿孔インサートに係合させる工程であって、該第二のポストの断面形状が該ポストの断面形状と異なり、かつ、ゴルフボールが打球面に接触するときにクラブヘッドから発せられる音が該ポストを該第二のポストで交換することにより改変される、工程
をさらに含む、請求項21記載の方法。
【請求項２６】
ポストが円形の断面を有する、請求項25記載の方法。
【請求項２７】
ポストが長方形の断面を有する、請求項25記載の方法。
【請求項２８】
ポストが三角形の断面を有する、請求項25記載の方法。
【請求項２９】
ポストの第一の端部がクラブヘッドのクラウンに延びる、請求項21記載の方法。
【請求項３０】
ポストが、チタン金属、チタン合金、アルミニウム、アルミニウム合金またはポリマー材料の群より選択される材料で作製される、請求項21記載の方法。
【請求項３１】
（d）ポストを穿孔インサートから取り外す工程；および
（e）第二のポストが該穿孔インサートから該クラブヘッドのクラウン部分の内面に延びるように、該第二のポストを該穿孔インサートに係合させる工程であって、該第二のポストの材料が該ポストの材料と異なり、かつ、ゴルフボールが打球面に接触するときにクラブヘッドから発せられる音が該ポストを該第二のポストで交換することにより改変される、工程
をさらに含む、請求項30記載の方法。
【請求項３２】
ポストが、クラウン部分に延びかつそれに対して押し縮められる第一の端部のゴム先端を含む、請求項31記載の方法。
【請求項３３】
ウェイトがタングステンウェイトである、請求項21記載の方法。
【請求項３４】
ゴルフボールが打球面に接触するときにクラブヘッドから発せられる音を改変するように、ポストに沿ったウェイトの場所が選択的に変動する、請求項21記載の方法。
【請求項３５】
（d）ホーゼル部材においてゴルフクラブシャフトをクラブヘッドに係合させる工程をさらに含む、請求項21記載の方法。
【請求項３６】
（e）グリップ部材をゴルフクラブシャフトに係合させる工程をさらに含む、請求項35記載の方法。
【手続補正２】
【補正対象書類名】明細書
【補正対象項目名】００１１
【補正方法】変更
【補正の内容】
【００１１】
本発明のなおさらなる局面は、ゴルフクラブまたはゴルフクラブヘッドを使用して、使用中のゴルフボールに接触するときにゴルフクラブまたはゴルフクラブヘッドに関連する音、および／または感触の他の様相を制御するための方法に関する。たとえば、本発明の少なくともいくつかの例の方法は、（a）上記の種類のゴルフクラブを提供する工程、および（b）音を変化させるための手段を調整することによって、ゴルフボールが打球面に接触するときにクラブヘッドにより発せられる音を変化させる工程を含みうる。クラブヘッドにより発せられる音は、上記の様々なやり方の任意の一つまたは複数で変化しうる。
[本発明1001]
クラウン部分およびソール部分を含むクラブヘッドボディであって、
該ソール部分が、そこを通る穿孔と、該穿孔を通ってクラブヘッドボディ内に延びる穿孔インサートとを含み、
該クラブヘッドボディが、該穿孔インサートに係合するポストをさらに含み、
該ポストが、第一の端部および該第一の端部とは反対側の第二の端部を有し、
該ポストが該クラブヘッドボディに挿入される場合に、該第一の端部が該穿孔インサートを通って挿入され、かつ該ポストの該第二の端部が該穿孔インサートに係合しかつ該ソール部分と実質的に同一平面になるかまたはその中に差し込まれる、クラブヘッドボディ；
該クラブヘッドボディに係合するかまたはその一部として一体的に形成される打球面；および
該クラブヘッドに係合するかまたはその少なくとも一部分と一体的に形成されるホーゼル部材
を含む、ゴルフクラブヘッド。
[本発明1002]
ポストが外部ねじ山を含む、本発明1001のゴルフクラブヘッド。
[本発明1003]
穿孔インサートが内部ねじ山を含み、ポストがクラブヘッドボディに挿入される場合にポストの外部ねじ山が穿孔インサートの内部ねじ山に係合する、本発明1002のゴルフクラブヘッド。
[本発明1004]
ポストの外部ねじ山が、第一の端部に設置されており、ポストがクラブヘッドボディに挿入される場合にクラウンに設置されたクラウン支持体に設置された内部ねじ山に係合する、本発明1002のゴルフクラブヘッド。
[本発明1005]
クラブヘッドボディが第二のポストをさらに含み、
ソール部分が、そこを通る第二の穿孔と、該第二の穿孔を通って該クラブヘッドボディ内に延びる第二の穿孔インサートとを含み、
該第二のポストが該第二の穿孔インサートに係合し、
該第二のポストが第一の端部および該第一の端部とは反対側の第二の端部を有し、
該第二のポストが該クラブヘッドボディに挿入される場合に、該第一の端部が該第二の穿孔インサートを通って挿入され、かつ該第二のポストの該第二の端部が該第二の穿孔インサートに係合しかつ該ソール部分と実質的に同一平面になるかまたはその中に差し込まれる、本発明1001のゴルフクラブヘッド。
[本発明1006]
クラブヘッドボディが第三のポストをさらに含み、
ソール部分が、そこを通る第三の穿孔と、該第三の穿孔を通って該クラブヘッドボディ内に延びる第三の穿孔インサートとを含み、
該第三のポストが該第三の穿孔インサートに係合し、
該第三のポストが第一の端部および該第一の端部とは反対側の第二の端部を有し、
該第三のポストが該クラブヘッドボディに挿入される場合に、該第一の端部が該第三の穿孔インサートを通って挿入され、かつ該第三のポストの該第二の端部が該第三の穿孔インサートに係合しかつ該ソール部分と実質的に同一平面になるかまたはその中に差し込まれる、本発明1005のゴルフクラブヘッド。
[本発明1007]
ポストがクラブヘッドボディの略中心に設置される、本発明1001のゴルフクラブヘッド。
[本発明1008]
ポストが、打球面側とは反対側のクラブヘッドの背面の近くに設置される、本発明1001のゴルフクラブヘッド。
[本発明1009]
ゴルフボールが打球面に接触するときにクラブヘッドボディから発せられる音を改変するように、該クラブヘッドボディの内側に延びるポストの長さが選択的に変動する、本発明1001のゴルフクラブヘッド。
[本発明1010]
第二のポストをさらに含む前記ゴルフクラブヘッドであって、
該第二のポストの断面形状が前記ポストの断面形状と異なり、
ゴルフボールが打球面に接触するときにクラブヘッドボディから発せられる音が、該ポストを該第二のポストで交換することにより改変される、本発明1001のゴルフクラブヘッド。
[本発明1011]
ポストが円形の断面を有する、本発明1010のゴルフクラブヘッド。
[本発明1012]
ポストが長方形の断面を有する、本発明1010のゴルフクラブヘッド。
[本発明1013]
ポストが三角形の断面を有する、本発明1010のゴルフクラブヘッド。
[本発明1014]
ポストの第一の端部がクラブヘッドボディのクラウンに延びる、本発明1001のゴルフクラブヘッド。
[本発明1015]
ポストが、チタン金属、チタン合金、アルミニウム、アルミニウム合金またはポリマー材料の群より選択される材料で作製される、本発明1001のゴルフクラブヘッド。
[本発明1016]
第二のポストをさらに含む前記ゴルフクラブヘッドであって、
該第二のポストの材料が前記ポストの材料と異なり、
ゴルフボールが打球面に接触するときにクラブヘッドボディから発せられる音が、該ポストを該第二のポストで交換することにより改変される、本発明1015のゴルフクラブヘッド。
[本発明1017]
ポストが、クラウンに延びかつそれに対して押し縮められる第一の端部のゴム先端を含む、本発明1001のゴルフクラブヘッド。
[本発明1018]
ポストが、該ポストに沿って設置されるウェイトを含む、本発明1001のゴルフクラブヘッド。
[本発明1019]
ウェイトがタングステンウェイトである、本発明1018のゴルフクラブヘッド。
[本発明1020]
ポストが外部ねじ山を含み、ウェイトが内部ねじ山を含み、該ポストの第一の端部と第二の端部との間の該ポストの縦方向長さに沿った該ウェイトの移動を可能にするように、該ウェイトが該ポストに螺合可能に係合する、本発明1018のゴルフクラブヘッド。
[本発明1021]
ゴルフボールが打球面に接触するときにクラブヘッドボディから発せられる音を改変するように、ポストに沿ったウェイトの場所が選択的に変動する、本発明1020のゴルフクラブヘッド。
[本発明1022]
クラウン部分およびソール部分を含むクラブヘッドボディであって、該ソール部分が、クラブヘッドボディの内側に開口する穿孔を含む、クラブヘッドボディ；
該クラブヘッドボディに係合するかまたはその一部として一体的に形成される打球面；
クラブヘッドに係合するかまたはその少なくとも一部分と一体的に形成されるホーゼル部材；および
ゴルフボールが該打球面に接触するときに該クラブヘッドにより発せられる音を変化させるための手段であって、音を変化させるための該手段の少なくとも一部分が該穿孔を通って該クラブヘッドボディの内側に延びる、手段
を含む、ゴルフクラブヘッド。
[本発明1023]
音を変化させるための手段が、ゴルフボールが打球面に接触するときにクラブヘッドにより発せられる音をユーザが選択的に変化させることを可能にする、本発明1022のゴルフクラブヘッド。
[本発明1024]
音を変化させるための手段が、ソール部分からクラウン部分に延びる第一のポストを含み、音を変化させるための該手段が、該第一のポストを異なる断面形状を有する第二のポストで交換することを可能にする解放可能な接続構造をさらに含む、本発明1023のゴルフクラブヘッド。
[本発明1025]
音を変化させるための手段が、ソール部分からクラウン部分に延びる第一のポストを含み、音を変化させるための該手段が、クラブヘッドボディの内側の該第一のポストの長さを増大または減少させることを可能にする移動可能な接続構造をさらに含む、本発明1023のゴルフクラブヘッド。
[本発明1026]
音を変化させるための手段が、ソール部分からクラウン部分に延びる第一のポストを含み、音を変化させるための該手段が、該第一のポストを該第一のポストの材料と異なる材料から作製される第二のポストで交換することを可能にする解放可能な接続構造をさらに含む、本発明1023のゴルフクラブヘッド。
[本発明1027]
音を変化させるための手段が、クラブヘッドボディに対して回転可能に装着された第一のポストを含む、本発明1023のゴルフクラブヘッド。
[本発明1028]
クラブヘッドにより発せられる音が、クラブヘッドボディに係合しかつ第一のポストに係合する穿孔インサート部材に対して該第一のポストを回転させることによって変化する、本発明1027のゴルフクラブヘッド。
[本発明1029]
音を変化させるための手段の少なくとも一部分がクラブヘッドに係合される、本発明1022のゴルフクラブヘッド。
[本発明1030]
音を変化させるための手段の少なくとも一部分がクラブヘッドから取り外し可能である、本発明1029のゴルフクラブヘッド。
[本発明1031]
クラウン部分およびソール部分を含むクラブヘッドであって、
該ソール部分が、そこを通る穿孔と、該穿孔を通ってクラブヘッド内に延びる穿孔インサートとを含み、
該クラブヘッドが、該穿孔インサートに係合するポストをさらに含み、
該ポストが第一の端部および該第一の端部とは反対側の第二の端部を有し、
該ポストが該クラブヘッドに挿入される場合に、該第一の端部が該穿孔インサートを通って挿入され、かつ該ポストの該第二の端部が該穿孔インサートに係合しかつ該ソール部分と実質的に同一平面になるかまたはその中に差し込まれる、クラブヘッド；
該クラブヘッドに係合するかまたはその一部として一体的に形成される打球面；
該クラブヘッドに係合するかまたはその少なくとも一部分と一体的に形成されるホーゼル部材；および
該ホーゼル部材において該クラブヘッドに係合するシャフト
を含む、ゴルフクラブ。
[本発明1032]
ポストが外部ねじ山を含む、本発明1031のゴルフクラブ。
[本発明1033]
穿孔インサートが内部ねじ山を含み、ポストがクラブヘッドに挿入される場合にポストの外部ねじ山が穿孔インサートの内部ねじ山に係合する、本発明1032のゴルフクラブ。
[本発明1034]
ポストの外部ねじ山が、第一の端部に設置されており、ポストがクラブヘッドボディに挿入される場合にクラウンに設置されたクラウン支持体に設置された内部ねじ山に係合する、本発明1032のゴルフクラブ。
[本発明1035]
クラブヘッドボディが第二のポストをさらに含み、
ソール部分が、そこを通る第二の穿孔と、該第二の穿孔を通って該クラブヘッドボディ内に延びる第二の穿孔インサートとを含み、
該第二のポストが該第二の穿孔インサートに係合し、
該第二のポストが第一の端部および該第一の端部とは反対側の第二の端部を有し、
該第二のポストが該クラブヘッドボディに挿入される場合に、該第一の端部が該第二の穿孔インサートを通って挿入され、かつ該第二のポストの該第二の端部が該第二の穿孔インサートに係合しかつ該ソール部分と実質的に同一平面になるかまたはその中に差し込まれる、本発明1031のゴルフクラブ。
[本発明1036]
クラブヘッドボディが第三のポストをさらに含み、
ソール部分が、そこを通る第三の穿孔と、該第三の穿孔を通って該クラブヘッドボディ内に延びる第三の穿孔インサートとを含み、
該第三のポストが該第三の穿孔インサートに係合し、
該第三のポストが第一の端部および該第一の端部とは反対側の第二の端部を有し、
該第三のポストが該クラブヘッドボディに挿入される場合に、該第一の端部が該第三の穿孔インサートを通って挿入され、かつ該第三のポストの該第二の端部が該第三の穿孔インサートに係合しかつ該ソール部分と実質的に同一平面になるかまたはその中に差し込まれる、本発明1035のゴルフクラブ。
[本発明1037]
ポストがクラブヘッドボディの略中心に設置される、本発明1031のゴルフクラブ。
[本発明1038]
ポストが、打球面側とは反対側のクラブヘッドの背面の近くに設置される、本発明1031のゴルフクラブ。
[本発明1039]
ゴルフボールが打球面に接触するときにクラブヘッドから発せられる音を改変するように、クラブヘッドボディの内側に延びるポストの長さが選択的に変動する、本発明1031のゴルフクラブ。
[本発明1040]
第二のポストをさらに含む前記ゴルフクラブであって、
該第二のポストの断面形状が前記ポストの断面形状と異なり、
ゴルフボールが打球面に接触するときにクラブヘッドから発せられる音が、該ポストを該第二のポストで交換することにより改変される、本発明1031のゴルフクラブ。
[本発明1041]
ポストが円形の断面を有する、本発明1040のゴルフクラブ。
[本発明1042]
ポストが長方形の断面を有する、本発明1040のゴルフクラブ。
[本発明1043]
ポストが三角形の断面を有する、本発明1040のゴルフクラブ。
[本発明1044]
ポストの第一の端部がクラブヘッドのクラウンに延びる、本発明1031のゴルフクラブ。
[本発明1045]
ポストが、チタン金属、チタン合金、アルミニウム、アルミニウム合金またはポリマー材料の群より選択される材料で作製される、本発明1031のゴルフクラブ。
[本発明1046]
第二のポストをさらに含む前記ゴルフクラブであって、
該第二のポストの材料が前記ポストの材料と異なり、
ゴルフボールが打球面に接触するときにクラブヘッドから発せられる音が、該ポストを該第二のポストで交換することにより改変される、本発明1045のゴルフクラブ。
[本発明1047]
ポストが、クラウン部分に延びかつそれに対して押し縮められる第一の端部のゴム先端を含む、本発明1046のゴルフクラブ。
[本発明1048]
ポストが、該ポストに沿って設置されるウェイトを含む、本発明1046のゴルフクラブ。
[本発明1049]
ウェイトがタングステンウェイトである、本発明1048のゴルフクラブ。
[本発明1050]
ポストが外部ねじ山を含み、ウェイトが内部ねじ山を含み、該ポストの第一の端部と第二の端部との間の該ポストの縦方向長さに沿った該ウェイトの移動を可能にするように、該ウェイトが該ポストに螺合可能に係合する、本発明1048のゴルフクラブ。
[本発明1051]
ゴルフボールが打球面に接触するときにクラブヘッドから発せられる音を改変するように、ポストに沿ったウェイトの場所が選択的に変動する、本発明1050のゴルフクラブ。
[本発明1052]
クラウン部分およびソール部分を含むクラブヘッドであって、該ソール部分が、クラブヘッドの内側に開口する穿孔を含む、クラブヘッド；
該クラブヘッドに係合するかまたはその一部として一体的に形成される打球面；
該クラブヘッドに係合するかまたはその少なくとも一部分と一体的に形成されるホーゼル部材；
該ホーゼル部材において該クラブヘッドに係合するシャフト；および
ゴルフボールが該打球面に接触するときに該クラブヘッドにより発せられる音を変化させるための手段であって、音を変化させるための該手段の少なくとも一部分が該穿孔を通ってクラブヘッドボディの内側に延びる、手段
を含む、ゴルフクラブ。
[本発明1053]
音を変化させるための手段が、ゴルフボールが打球面に接触するときにクラブヘッドにより発せられる音をユーザが選択的に変化させることを可能にする、本発明1052のゴルフクラブ。
[本発明1054]
音を変化させるための手段が、ソール部分からクラウン部分に延びる第一のポストを含み、音を変化させるための該手段が、該第一のポストを異なる断面形状を有する第二のポストで交換することを可能にする解放可能な接続構造をさらに含む、本発明1053のゴルフクラブ。
[本発明1055]
音を変化させるための手段が、ソール部分からクラウン部分に延びる第一のポストを含み、音を変化させるための該手段が、クラブヘッドボディの内側の該第一のポストの長さを増大または減少させることを可能にする移動可能な接続構造をさらに含む、本発明1053のゴルフクラブ。
[本発明1056]
音を変化させるための手段が、ソール部分からクラウン部分に延びる第一のポストを含み、音を変化させるための該手段が、該第一のポストを該第一のポストの材料と異なる材料から作製される第二のポストで交換することを可能にする解放可能な接続構造をさらに含む、本発明1053のゴルフクラブ。
[本発明1057]
音を変化させるための手段が、クラブヘッドボディに対して回転可能に装着された第一のポストを含む、本発明1053のゴルフクラブ。
[本発明1058]
クラブヘッドにより発せられる音が、クラブヘッドボディに係合しかつ第一のポストに係合する穿孔インサート部材に対して該第一のポストを回転させることによって変化する、本発明1057のゴルフクラブ。
[本発明1059]
音を変化させるための手段の少なくとも一部分がクラブヘッドに係合される、本発明1052のゴルフクラブ。
[本発明1060]
音を変化させるための手段の少なくとも一部分がクラブヘッドから取り外し可能である、本発明1059のゴルフクラブ。
[本発明1061]
（a）クラウン部分およびソール部分を含むクラブヘッドを提供する工程であって、該ソール部分がそこにおいて規定されクラブヘッドの内側に開口する穿孔を含む、工程；
（b）穿孔インサートを該クラブヘッドにおいて規定された該穿孔に係合させる工程；および
（c）ポストが該穿孔インサートから該クラブヘッドの該クラウン部分の内面に延びるように、該ポストを該穿孔インサートに係合させる工程であって、ゴルフボールを該クラブヘッドで打つときに該クラブヘッドにより生成される音の改変を可能にするように、該ポストが該穿孔インサートに対して移動可能である、工程
を含む、ゴルフクラブを作製する方法。
[本発明1062]
ポストが外部ねじ山を含む、本発明1061の方法。
[本発明1063]
穿孔インサートが内部ねじ山を含み、ポストがクラブヘッドに挿入される場合にポストの外部ねじ山が穿孔インサートの内部ねじ山に係合する、本発明1061の方法。
[本発明1064]
ゴルフボールをクラブヘッドで打つときに該クラブヘッドにより生成される音を改変するように、該クラブヘッドの内側に延びるポストの長さが選択的に変動する、本発明1061の方法。
[本発明1065]
（d）ポストを穿孔インサートから取り外す工程；および
（e）第二のポストが該穿孔インサートから該クラブヘッドのクラウン部分の内面に延びるように、該第二のポストを該穿孔インサートに係合させる工程であって、該第二のポストの断面形状が該ポストの断面形状と異なり、かつ、ゴルフボールが打球面に接触するときにクラブヘッドから発せられる音が該ポストを該第二のポストで交換することにより改変される、工程
をさらに含む、本発明1061の方法。
[本発明1066]
ポストが円形の断面を有する、本発明1065の方法。
[本発明1067]
ポストが長方形の断面を有する、本発明1065の方法。
[本発明1068]
ポストが三角形の断面を有する、本発明1065の方法。
[本発明1069]
ポストの第一の端部がクラブヘッドのクラウンに延びる、本発明1061の方法。
[本発明1070]
ポストが、チタン金属、チタン合金、アルミニウム、アルミニウム合金またはポリマー材料の群より選択される材料で作製される、本発明1061の方法。
[本発明1071]
（d）ポストを穿孔インサートから取り外す工程；および
（e）第二のポストが該穿孔インサートから該クラブヘッドのクラウン部分の内面に延びるように、該第二のポストを該穿孔インサートに係合させる工程であって、該第二のポストの材料が該ポストの材料と異なり、かつ、ゴルフボールが打球面に接触するときにクラブヘッドから発せられる音が該ポストを該第二のポストで交換することにより改変される、工程
をさらに含む、本発明1070の方法。
[本発明1072]
ポストが、クラウン部分に延びかつそれに対して押し縮められる第一の端部のゴム先端を含む、本発明1071の方法。
[本発明1073]
ポストが、該ポストに沿って設置されるウェイトを含む、本発明1071の方法。
[本発明1074]
ウェイトがタングステンウェイトである、本発明1073の方法。
[本発明1075]
ポストが外部ねじ山を含み、ウェイトが内部ねじ山を含み、該ポストの第一の端部と第二の端部との間の該ポストの縦方向長さに沿った該ウェイトの移動を可能にするように、該ウェイトが該ポストに螺合可能に係合する、本発明1073の方法。
[本発明1076]
ゴルフボールが打球面に接触するときにクラブヘッドから発せられる音を改変するように、ポストに沿ったウェイトの場所が選択的に変動する、本発明1075の方法。
[本発明1077]
（d）ホーゼル部材においてゴルフクラブシャフトをクラブヘッドに係合させる工程をさらに含む、本発明1061の方法。
[本発明1078]
（e）グリップ部材をゴルフクラブシャフトに係合させる工程をさらに含む、本発明1077の方法。
[本発明1079]
（a）クラウン部分およびソール部分を含むクラブヘッドであって、該ソール部分がクラブヘッドの内側に開口する穿孔を含む、クラブヘッドと；
該クラブヘッドに係合するかまたはその一部として一体的に形成される打球面と；
該クラブヘッドに係合するかまたはその少なくとも一部分と一体的に形成されるホーゼル部材と；
ゴルフボールが該打球面に接触するときに該クラブヘッドにより発せられる音を変化させるための手段であって、音を変化させるための該手段の少なくとも一部分が該穿孔を通ってクラブヘッドボディの内側に延びる、手段と
を含む、ゴルフクラブを提供する工程；および
（b）音を変化させるための該手段を調整する工程であって、それによって、該ゴルフボールが該打球面に接触するときに該クラブヘッドにより発せられる音を変化させる、工程
を含む、ゴルフクラブヘッドにより発せられる音を変化させるための方法。
[本発明1080]
音を変化させるための手段が、ゴルフボールが打球面に接触するときにクラブヘッドにより発せられる音をユーザが選択的に変化させることを可能にする、本発明1079の方法。
[本発明1081]
音を変化させるための手段が、ソール部分からクラウン部分に延びる第一のポストを含み、音を変化させるための該手段が、該第一のポストを異なる断面形状を有する第二のポストで交換することを可能にする解放可能な接続構造をさらに含む、本発明1080の方法。
[本発明1082]
音を変化させるための手段が、ソール部分からクラウン部分に延びる第一のポストを含み、音を変化させるための該手段が、クラブヘッドボディの内側の該第一のポストの長さを増大または減少させることを可能にする移動可能な接続構造をさらに含む、本発明1080の方法。
[本発明1083]
音を変化させるための手段が、ソール部分からクラウン部分に延びる第一のポストを含み、音を変化させるための該手段が、該第一のポストを該第一のポストの材料と異なる材料から作製される第二のポストで交換することを可能にする解放可能な接続構造をさらに含む、本発明1080の方法。
[本発明1084]
音を変化させるための手段が、クラブヘッドボディに対して回転可能に装着された第一のポストを含む、本発明1080の方法。
[本発明1085]
クラブヘッドにより発せられる音が、クラブヘッドボディに係合しかつ第一のポストに係合する穿孔インサート部材に対して該第一のポストを回転させることによって変化する、本発明1084の方法。
[本発明1086]
音を変化させるための手段の少なくとも一部分がクラブヘッドに係合される、本発明1079の方法。
[本発明1087]
音を変化させるための手段の少なくとも一部分がクラブヘッドから取り外し可能である、本発明1086の方法。
[本発明1088]
ゴルフクラブが、ホーゼル部材においてクラブヘッドに係合するゴルフクラブシャフトをさらに含む、本発明1086の方法。